(57)【要約】【課題】  従来の電線の切断と端部の被服を除去するストリップ作業の能率を上げる。【解決手段】  切断刃と２枚のストリッパー刃を持ち、これらを１工程で働かせ、電線の切断とストリップを同時に行える工具を提供することで、作業時間が短縮される。【選択図】  図１
2006158170.tif 000002
【特許請求の範囲】
【請求項１】
電線を切断する機能と電線の端部の被服を除去するストリップ機能を合わせ持ち、１工程で、切断とストリップを同時に行える電線切断ストリッパー。
【請求項２】
切断刃（１）と固定側ストリッパー刃と（２）移動側ストリッパー刃（３）を有し、１工程で、電線の切断とストリップを同時に行える電線切断ストリッパー。
【請求項３】
中央に銅線に当たらぬ部分を持つ上下に向かい合った２組のストリッパー刃を、閉じることにより電線の被覆（６）に切り込ませ、その内の１組を、電線に沿って、２組が離れる方向に横移動させることにより、被覆を抜き取る電線のストリップ方法。
【請求項４】
「請求項３」の２組のストリッパー刃において、図４−（ａ−１）のごとく、１組の刃の一方のストリッパー刃の開口部を形成する刃の片方を長い辺（５３）にし、それと組み合わさる相手の刃には、それと対峙する部分に逃がし（５４）を設けて、それらが組み合わさることによりストリッパー刃を形成するストリッパー刃と、図４−（ｂ−１）のごとく、も一方の組の刃は、形状は全く同じで（片方に長い辺（５３）と相手に逃がし（５４）を持つ）、それを反対向きにひっくり返したものを用意し、それら２組を重ね合わせることにより、電線（４）を導き入れるＶ刃の開口部を広くしたストリッパー刃を持つ電線切断ストリッパー用のストリップ装置。
【発明の詳細な説明】
【発明の詳細な説明】
【技術分野】
【０００１】  本発明は、電気の配線工事で使用される電線の切断工具、及び被服材の除去工具すなわちストリッパーに関する物である。
【背景技術】
【０００２】  従来、電気配線作業において、電線を処理する作業の代表的なものに、長い電線を使用する長さに切る切断と、電気を流すために電線の銅線の部分を露出させてやる電線端部の被服の除去がある。【０００３】  電線の切断は、通称ニッパーといわれる電線切断の専用工具を用いるか、又は、別の工具にセットとして組み込まれたハサミのような切断工具を用いて行われている。【０００４】  また、電線の切断作業に続いて行われる、電線の端部の被服を除去する作業（通称ストリップ作業）は、各種のストリッパーと称せられる専用工具で、切断作業とは、また別な作業として、別な工具を使用して行われていた。
【発明が解決しようとする課題】
【０００５】  電気配線作業に於いて、電線の切断と端部の被服の除去する作業は、数が非常に多いため、配線作業全体における労働比率も大きく、作業者にとって大きな負担になる作業であった。
【０００６】  しかし、従来の、電線の切断工具、及び、端部の被服を除去する工具（ストリッパー）は、それぞれが専用工具になっているか、あるいは、ひとつの工具に組み込まれている場合でも、それぞれが別々の場所に付いているため、作業としては、切断、そして、ストリップと２工程にならざるを得ず、作業者は非能率な作業をせざるを得なかった。
【０００７】  そのため、配線作業の負担を減らし、能率を上げられる、簡単で、使いやすい電線の端末処理工具の開発が待望されていた。
【課題を解決するための手段】
【０００８】  その為、本発明では、これまで電線の切断と電線端部の被服除去と２工程で行われていた作業を、電線の切断と端部の被服の除去を、同時に、行えるように工夫し、作業の能率を上げられるようにしている。
【０００９】  本発明「電線切断ストリッパー」には、電線を切断すための切断刃に加え、新規に工夫された２枚のストリッパー刃をその機構に持たせ、その２枚のストリッパー刃のシンプルな動きによって複雑なストリップ動作を可能にすることにより、それらを１つの工具で行わせることを実現した。
【００１０】  図面により、その原理を説明する。
【００１１】  説明に当たり、本発明「電線切断ストリッパー」の機構は、すべての部品が上下一対ずつ対を成して存在する。そこで、説明を簡明にするため、各個品の番号は、上下対を成すものは同一番号を付すものとした。
【００１２】  図１−（ａ）〜（ｄ）に、本発明「電線切断ストリッパー」の動作原理図を示す。
【００１３】  本発明「電線切断ストリッパー」の動作の基本原理は、電線の切断と端部の被服の除去を一連の動きで行う、ということである。
【００１４】  その目的を達成するための基本となる構成部品は、切断刃（１）と、固定側ストリッパー刃（２）移動側ストリッパー刃（３）の３組の部品である。
【００１５】  これら３組の部品は、上下でそれぞれ１組を成していて、いずれもシャープな刃を向かい合わせて持っている。
【００１６】  そして、そのそれぞれの刃は、それらが閉じることにより、切断刃（１）は、銅線（５）と被服（６）とからなる電線（４）全体を切断し、固定側ストリッパー刃（２）と移動側ストリッパー刃（３）の刃は、それぞれの上下の刃が閉じた時に、中央部分に銅線（５）の太さよりやや広い空間（５０）が設けられていて、刃が銅線（５）に触れることなく、被服（６）のみを切るようになっている。
【００１７】  図１−（ａ）は、本発明「電線切断ストリッパー」に、電線（４）を工具に通したところを示している。
【００１８】  切断刃（１）と固定側ストリッパー刃（２）と移動側ストリッパー刃（３）の配列は、まず外側に、切断刃（１）が図１−（ａ）のような向きで取り付けられ、それと少し離れて、固定側ストリッパー刃（２）と移動側ストリッパー刃（３）が、図のように、背中合わせに密着して配されている。
【００１９】  後の説明で明らかになるが、切断刃（１）の内側の面と、密着した２枚の固定側ストリッパー刃（２）と移動側ストリッパー刃（３）の間の面までの距離が、本発明「電線切断ストリッパー」の主要な機能の１つである、除去される被服（８）の長さになる。
【００２０】  次ぎの図１−（ｂ）では、前図から、切断刃（１）と固定側ストリッパー刃（２）移動側ストリッパー刃（３）が、矢印のように一緒に閉じる方向（電線をはさむ方向）に動いて、それぞれ電線（４）に食い込んだ状態を示している。
【００２１】  この状態で、切断刃（１）は、上下一対の刃がほぼ接するところまで移動するので、被服（６）銅線（５）は共に切断され、電線（４）は、切断刃（１）により、電線（７）とに、その部分で完全に切り離される。
【００２２】  これが、本発明「電線切断ストリッパー」の特徴の１つである切断機能である。  固定側ストリッパー刃（２）と移動側ストリッパー刃（３）も、密着した状態のまま、上下のそれぞれの先端部分が当たる位置まで完全に閉じる。
【００２３】  しかし、固定側ストリッパー刃（２）と移動側ストリッパー刃（３）は、その状態でも刃の中央に空間（５０）を形成する構造になっているため、電線（４）は、銅線（５）が切られることなく、被服（６）のみが深く切り込まれる。
【００２４】  次ぎの図１−（ｃ）では、切断刃（１）固定側ストリッパー刃（２）移動側ストリッパー刃（３）は、それぞれの刃の閉じる方向にはそれ以上動かず、それまで密着していた固定側ストリッパー刃（２）と移動側ストリッパー刃（３）の内、移動側ストリッパー刃（３）のみが、図の矢印のように、固定側ストリッパー刃（２）から離れて、両刃とも閉じたまま横移動する状態を示している。
【００２５】  固定側ストリッパー刃（２）移動側ストリッパー刃（３）が閉じたまま離れることにより、ほぼ分離されていた被服（６）は、切断刃（１）と固定側ストリッパー刃（２）の間の被服（８）と、移動側ストリッパー刃（３）側の被服（６）に、引き千切られて完全に切り離される。
【００２６】  銅線（５）は、切断されていないため、移動側ストリッパー刃（３）に引かれて一緒に動き、被服（８）から抜けて分離し、被っていた被服（８）が除去された状態になる。
【００２７】  これが、本発明「電線切断ストリッパー」のもう一つの特徴であるストリップ機能である。
【００２８】  次ぎの図１−（ｄ）に、工具が、内部に仕込まれたバネの力により、図の矢印の方向に動いて、最初の図１−（ａ）の状態に戻る状態が示されている。
【００２９】  これら図１−（ａ）〜（ｄ）の一連の動きにより、電線の切断機能と端部の被服の除去する機能（ストリップ機能）という２つの機能は、１工程で達成される。
【発明を実施するための最良の形態】
【００３０】  本発明の実施形態について図面を参照しながら詳細に説明する。【００３１】  図２は、本発明「電線切断ストリッパー」のハンドル（２０）を含めた全体外観図が、図３には、メカの主要部分の部分拡大図が示されており、図２、図３のそれぞれ、（ｂ）と（ｂ−１）（ｂ−２）、（ｃ）と（ｃ−１）（ｃ−２）、（ｄ）と（ｄ−１）（ｄ−２）は、動作の課程の同じ状態の図である。【００３２】  本発明「電線切断ストリッパー」の機能は、動作原理でも記述したように、切断刃（１）固定側ストリッパー刃（２）移動側ストリッパー刃（３）の３組の部品の動作で達成される。【００３３】  その為、本機構の説明は、前記３部品の動作原理を中心に行う。【００３４】  まず、本発明「電線切断ストリッパー」の動作はすべて、全体外観図、図２の（ｂ）〜（ｄ）のハンドル（２０）を作業者が握って閉じることにより行われる。【００３５】  図２−（ｂ）は、ハンドル（２０）の全開の状態で、本発明「電線切断ストリッパー」の切断ストリップ動作のスタート状態である。【００３６】  前述の基本原理図、図１−（ａ）の状態にあたる。【００３７】  図２−（ｃ）は、ハンドル（２０）が中間まで閉じられ、切断刃（１）が完全に閉じて、それにより電線（４）が切断され、また固定側ストリッパー刃（２）と移動側ストリッパー刃（３）も閉じて、それらが電線の被覆（６）に食い込み、銅線（５）を切らずに、被服（６）のみをほぼ切断した状態になっている。【００３８】  前述の基本原理図、図１−（ｂ）の状態にあたる。【００３９】  図２−（ｄ）は、ハンドル（２０）が完全に閉じられ、固定側ストリッパー刃（２）に対し、移動側ストリッパー刃（３）が横移動して、電線（４）から被服（８）が分離除去された状態、を示している。【００４０】  前述の基本原理図、図１−（ｂ）の状態にあたる。【００４１】  次に、図３の部分拡大図により、本発明「電線切断ストリッパー」の機構の詳細な説明を行う。【００４２】  まず、切断刃（１）と固定側ストリッパー刃（２）と移動側ストリッパー刃（３）は、いずれも、ヒンジボルト（２１）を中心に揺動する上下一組の揺動プレート（２２）の上に取り付けられている。そして、この揺動プレート（２２）の一部は、カム形状（２３）になっている。【００４３】  上下のハンドル（２０）は、それぞれに付随するギア（  ）が噛み合っているので、ヒンジ（１９）を中心に、同調して、Ｒ運動をするようになっている。【００４４】  そして、それぞれハンドル（２０）の先端の一部にローラー（２４）が取り付けられていて、このローラー（２４）がハンドル（２０）の閉じる動作により、揺動プレート（２２）のカム形状（２３）に沿って動くと、揺動プレート（２２）は、切断刃（１）が閉じる方向に揺動運動始める。【００４５】  ハンドル（２０）が図２、３−（ｃ）の状態まで閉じると、ローラー（２４）とカム形状（２３）により上下同期して揺動していた揺動プレート（２２）が動いて、上下の切断刃（１）固定側ストリッパー刃（２）移動側ストリッパー刃（３）が、完全に閉じた状態なる。【００４６】  この状態が、動作の基本原理の説明で前述した、図１−（ｂ）の切断刃（１）による電線（４）の切断と、固定側ストリッパー刃（２）移動側ストリッパー刃（３）による被服（６）への食い込みが行われた状態である。【００４７】  図２−（ｃ）の状態から更にハンドル（２０）が閉じられると、揺動プレート（２２）のカム形状（２３）は、ローラー（２４）がそれに沿って動いても、揺動プレート（２２）を動かさない形状になっていて、揺動プレート（２２）の取り付けられた切断刃（１）固定側ストリッパー刃（２）移動側ストリッパー刃（３）は、完全に閉じた状態を維持したまま、それ以上の閉じる方向への揺動運動は行わない。【００４８】  固定側ストリッパー刃（２）の取付いている固定プレート（３０）には、ガイド軸（３１）が、移動側ストリッパー刃（３）の取り付いている移動プレート（３３）には、ガイドブッシュ（３４）が取り付けられていて、ガイド軸（３１）に沿ってガイドブッシュ（３４）が動くことにより、移動プレート（３３）に取り付けられた移動側ストリッパー刃（３）は、横移動が行う。【００４９】  また、固定側ストリッパー刃（２）の取付いている固定プレート（３０）には、ヒンジピン（４０）と、それを中心に揺動する揺動アーム（４１）が取り付けられている。【００５０】  揺動アーム（４１）には、ピン（４２）と（４３）が立っていて、一方のピン（４２）は、ハンドル（２０）の先端の一部（４４）が、他の一方のピン（４３）は、移動側ストリッパー刃（３）が取り付いている移動プレート（３３）の一部（４５）が、接触するようになっていて、図２−（ｃ）の状態から更にハンドル（２０）が閉じる動作は、揺動アーム（４１）を介して、移動プレート（３５）とそれに取り付いた移動側ストリッパー刃（３）に横移動動作を行わせる。【００５１】  こうして、移動側ストリッパー刃（３）の横移動が終了した状態が、図２、３−（ｄ）に示されている。【００５２】  この状態が、動作の基本原理の説明で前述した、図２−（ｄ）の、ハンドル（２０）が完全に閉じられ、固定側ストリッパー刃（２）に対し、移動側ストリッパー刃（３）横移動して、電線（４）から被服（８）が分離除去された状態である。【００５３】  以上のように、本発明「電線切断ストリッパー」では、ハンドルが半分閉じられたところまでで電線を切断し、残りの閉じる動作で、電線の端部の被服を除去するストリップ動作を行うような機構を有するメカにより、本発明の特徴である、切断機能とストリップ機能を一連の動作でやるという機能を実現している。【００５４】  すなわち、従来の電線切断工具や電線ストリッパー工具のような、１つの機能しか持たない工具を使用するときと同じように、本発明の工具「電線切断ストリッパー」に電線入れてハンドルを閉じるだけで、電線の切断と電線端部の被服の除去を同時に処理できるという大変優れたものである。【００５５】  また、本発明「電線切断ストリッパー」では、工具の性能を向上させるための様々な工夫がなされている。【００５６】  そのひとつが、ストリッパー刃の形状である。図４にそれを示す。【００５７】  図４の（ａ−１）（ａ−２）は、移動側ストリッパー刃（３）がそれぞれ開いている状態と閉じている状態、（ｂ−１）（ｂ−２）は、固定側ストリッパー刃（２）がそれぞれ開いている��態と閉じている状態を示している。【００５８】  それぞれに、それぞれ３種の電線の太さに対応できるよう、大きさの違う３種の刃（５１）が設けられている。【００５９】  刃の形状は、刃が閉じる時に電線（４）を刃の中心に導き易いように、電線（４）に向かって口を開いたＶ形になっていて、刃（５１）が閉じた状態では、電線の銅線（５）を切断することがないように、それぞれ銅線（５）よりやや大きめな四角い空間（５０）ができるようになっている。【００６０】  銅線（５）と、、刃（５１）によってできる四角い空間（５０）の大きさの関係を図４の（ｃ−２）に示す。【００６１】  ストリップ作業で、銅線（５）部分を切らずに、被服（６）のみを切るためには、電線（４）を上下の刃（５１）でできる四角い空間（５０）に、正確に導く必要がある。そのためには、電線（４）に向かったＶ形の刃の開口部は、広ければ広いほど電線（４）を導き易い。【００６２】  しかし、Ｖ形の刃（５１）は、上下に同相で、中央で相互の刃がぶつかるため、上下の刃（５１）の両方ともを、四角い空間（５０）の対角線以上に大きくすることはできない。そこで、本発明「電線切断ストリッパー」では、画期的な工夫をしている。【００６３】  まず、図４の（ａ−１）に示されているように、移動側ストリッパー刃（３）の３種のサイズの刃のそれぞれで、１つのＶ形の刃（５１）の片方を長い辺（５３）にしてを作る。【００６４】  そして、それと組み合わさる相手側のＶ形の刃（５１）には、組み合わさった時に相手の長い辺（５３）と干渉する部分に、逃がし（５４）を設ける。【００６５】  そうした形状の刃（５１）が組み合わさった状態を図４の（ａ−２）に示す。【００６６】  この図４−（ａ−２）を見ると、こうした片方に長い辺（５３）を持つＶ刃と一部に逃がし（５４）を設けたＶ刃（５１）の組合せも、中央の銅線（５）の通る四角い空間（５０）を有したストリッパー刃の機能を形成することが可能であることが解る。【００６７】  次に、固定側ストリッパー刃（２）も、移動側ストリッパー刃（３）と同じように、片方の長い辺（５３）を持つＶ刃と、それと組み合わさる部分に逃がし（５４）設けたＶ刃を作ると、これも組み合わせた時に中央に銅線（５）の通る四角い空間（５０）を持ったストリッパー刃を形成する。但し、固定側ストリッパー刃（２）のＶ刃のそれぞれの長い辺（５３）と逃がし（５４）の方向は、図４の（ａ−１）と（ｂ−１）に示されているように、反対になるように作製する。【００６８】  こうして、作製された移動側ストリッパー刃（３）と固定側ストリッパー刃（２）を、本発明「電線切断ストリッパー」に使用される時と同じように、重ね合わせた状態が、図４−（ｃ−１）である。【００６９】  この図４−（ｃ−１）を見ると、移動側ストリッパー刃（３）のＶ刃の長い辺（５３）と固定側ストリッパー刃（２）の長い辺（５３）が、それぞれ相手のＶ刃の逃がし（５４）を補い合って、Ｖ刃の開口部は、通常考えられる開口部（通常は、四角い空間（５０）の対角線）の２倍になっているのが解る。【００７０】  このように、本発明「電線切断ストリッパー」は、ストリッパー刃を形成するＶ刃の形状を工夫することにより、ストリッパーとしての性能を、より確実なものとしている。【００７１】  また、従来市販の、電線端部の被服（８）を除去する機能を持つストリッパーは、いずれも、電線（４）を工具の一部、もしくは作業者の手で押さえておいて、電線の被覆（６）に食い込ませた１枚のストリッパー刃で引っ張ることにより、ストリップ作業を行わせるというものであった。【００７２】  この方法では、電線（４）を押さえるのに大きな力を要し、メカが非常に大がかりなものになった。【００７３】  その点、本発明「電線切断ストリッパー」は、その基本原理の説明の中で示した通り、２枚のストリッパー刃、すなわち固定側ストリッパー刃（２）と移動側ストリッパー刃（３）を密着した状態で電線の被覆（６）に食い込ませて、それらを、電線に沿って離れる方向に移動させることで、電線端部の被服（８）を除去するストリップ作業を行わせる方法で行っている。【００７４】  この方法は、電線（４）を押さえるという無用な力を必要としないため、シンプルなメカでその機能を持たせることができ、これにより、１つの工具に、１工程で、切断機能とストリップ機能の２つの機能を行わせる、非常に能率のいい工具の実現を可能にした、非常に優れた画期的な方法である。【００７５】  切断刃（１）を組み込まず、この２枚のストリッパー刃のみで、ストリップのみの単機能工具とすることも可能である。【００７６】  また、銅線近くのＶ刃の形状の一部を、銅線（５）の外径に沿った円形刃にして、被服（６）をより充分に切断する方法も可能である。
【発明の効果】
【００７７】  このように本発明「電線切断ストリッパー」は、これまで２回の作業で行われていた、電線の切断とストリップ作業を、１作業で行える工具を提供することとなり、作業者の労力を軽減すると共に、配線作業の生産性を向上させる事におおいに役立つものである。
【図面の簡単な説明】
【００７８】
【図１】は、本発明電線切断ストリッパーの動作原理図。−（ａ）は、本発明電線切断ストリッパーの動作スタート状態図。−（ｂ）は、本発明電線切断ストリッパーの刃部が閉じた状態図。−（ｃ）は、本発明電線切断ストリッパーのストリップ刃が開いた状態図。−（ｄ）は、本発明電線切断ストリッパーの動作終了状態図。
【図２】は、本発明電線切断ストリッパーの全体外観図。−（ａ）は、本発明電線切断ストリッパーの平面図。−（ｂ）は、本発明電線切断ストリッパーの刃部が開状態図。−（ｃ）は、本発明電線切断ストリッパーの刃部が閉状態図。−（ｄ）は、本発明電線切断ストリッパーのハンドルが閉状態図。
【図３】は、本発明電線切断ストリッパーの部分拡大図。−（ａ）は、本発明電線切断ストリッパーの平面図。−（ｂ−１）は、本発明電線切断ストリッパーの刃部が開状態側面図。−（ｂ−２）は、本発明電線切断ストリッパーの刃部が開状態正面図。−（ｃ−１）は、本発明電線切断ストリッパーの刃部が閉状態側面図。−（ｃ−２）は、本発明電線切断ストリッパーの刃部が閉状態正面図。−（ｄ−１）は、本発明電線切断ストリッパーのハンドルが閉状態側面図。−（ｄ−２）は、本発明電線切断ストリッパーのハンドルが閉状態正面図。
【図４】は、本発明電線切断ストリップ刃の組合せ説明図。−（ａ−１）は、本発明電線切断ストリップ移動刃の開状態図。−（ａ−２）は、本発明電線切断ストリップ移動刃の閉状態図。−（ｂ−１）は、本発明電線切断ストリップ固定刃の開状態図。−（ｂ−２）は、本発明電線切断ストリップ固定刃の閉状態図。−（ｃ−１）は、本発明電線切断ストリップ固定、移動両刃の重なったものの開状態図。−（ｃ−２）は、本発明電線切断ストリップ固定、移動両刃の重なったものの閉状態図。
【符号の説明】
１  切断刃                          ２  固定側ストリッパー刃  ３  移動側ストリッパー刃            ４  電線  ５  銅線                            ６  被服  ７  電線                            ８  被服２０  ハンドル                      ２１  ヒンジボルト２２  揺動プレート                  ２３  カム形状２４  ローラー                      ３０  固定プレート３１  ガイド軸                      ３３  移動プレート３４  ガイドブッシュ                ４０  ヒンジピン４１  揺動アーム                    ４２  ピン４３  ピン                          ４４  ハンドルの先端の一部４５  移動プレートの一部            ５０  空間５１  刃                            ５３  長い辺５４  逃がし
【図１】
2006158170.tif 000003
【図２】
2006158170.tif 000004
【図３】
2006158170.tif 000005
【図４】
2006158170.tif 000006